(57)【要約】【課題】設置場所や利用者数などの利用形態に応じてテーブル板を回転させて配置状態を変えるテーブル装置において、テーブルを囲んで向かい合って座った一方側の人と、他方側の人のテーブル板とその下側の有効な空間の条件が同じになるようにする。【解決手段】ガイド体の幅方向の中心線上に前記第１の可動部材と第２の可動部材の上面に回転可能に接合された第一の連結板と第２の連結板の回転中心が常に一致するように構成し、前記第１の連結板の中心に第１のテーブル板の中心が、第２の連結板の中心に第２のテーブル板の中心を連結させ、第１のテーブル板、第２のテーブル板の長手方向一側面を接合させた状態と、第１のテーブル板、第２のテーブル板それぞれ９０度回転させた状態において、このテーブル装置に向かい合って座った一方側の人と、他方側の人のテーブル板とその下側の有効な空間の条件が同じになるようにした。【選択図】　　　　図２
2004089304.tif 000002
【特許請求の範囲】
【請求項１】
脚体と、所定方向に沿うガイド部を有し、上記脚体によって所定の高さに支持されたガイド体と、このガイド体のガイド部に沿って移動自在に設けられた第１の可動部材および第２の可動部材と、矩形状に形成され中心部から長手方向一端側に所定寸法ずれた箇所が各可動部材にそれぞれ回転自在に取付けられた矩形状の第１のテーブル板および第２のテーブル板と、一端が上記ガイド体の所定方向ほぼ中央部に枢着され他端が上記第１のテーブル板の回転中心から所定寸法ずれた位置に枢着されていて、上記第１のテーブル板を所定の範囲内で回転可能および上記ガイド部に沿って移動可能な状態で上記ガイド体に連結した第１のリンクと、一端が上記ガイド体の所定方向ほぼ中央部で、上記第１のリンクの一端が枢着された個所から上記所定方向に沿って所定寸法離間した位置に枢着され他端が上記第２のテーブル板の回転中心から所定寸法ずれた位置に枢着されていて、上記第２のテーブル板を所定の範囲内で回転可能および上記ガイド部に沿って移動可能な状態で上記ガイド体に連結した第２のリンクとを具備したことを特徴とするテーブル装置において、前記ガイド体の幅方向の中心線上に前記第１の可動部材と第２の可動部材の上面に回転可能に接合された第一の連結板と第２の連結板の回転中心が常に一致するように構成し、前記第１の連結板の中心に第１のテーブル板の中心が、第２の連結板の中心に第２のテーブル板の中心を連結させ、第１のテーブル板、第２のテーブル板の長手方向一側面を接合させた状態と、第１のテーブル板、第２のテーブル板の幅方向一側面を接合させた状態において、このテーブル装置に向かい合って座った一方側の人と、他方側の人のテーブル板とその下側の有効な空間の条件が同じになることを特徴とするテーブル装置。
【発明の詳細な説明】
【０００１】
【発明が属する技術分野】
この発明は使用形態を変えることができるテーブル装置に関する。
【０００２】
【従来の技術】
一般に、テーブル装置は、脚体と、この脚体によって所定の高さでほぼ水平に支持されたテーブル板とから構成されている。テーブル装置を購入する場合、通常、利用者数や設置場所などの利用形態に応じて所定の形状のテーブル板を備えたテーブル装置が選択される。
【０００３】
従来のテーブル装置はテーブル板の形状を変えることができなかった。そのため、テーブル装置の設置場所などの利用形態が変わった場合、使い勝手が悪くなるというこたがあった。
【０００４】
そこで、本件出願人は、特開２００２−１７４５０において、利用者数や設置場所などの利用形態に応じてテーブル板の形状を変えることができるテーブル装置を提案した。
【０００５】
この先行技術は、ガイド体に矩形状の２枚のテーブル板が回転可能及び所定方向に沿ってスライド可能に設けられ、この２枚のテーブル板を回転させることで、これら２枚のテーブル板がなす形状を変えることができるようになっている。
【０００６】
【発明が解決しようとする課題】
ところで、一般のテーブル装置のテーブル板は長手方向、奥行き方向とも脚体が左右対称に構成されているため、テーブルを囲んで座った場合、向かい合って座った一方側の人と、他方側の人のテーブル板とその下側の有効な空間の条件は同じになっている。
【０００７】
しかしながら、上記先行技術に開示された実施例においては、２枚のテーブル板がなす形状を変えるため、テーブルを囲んで座った場合、向かい合って座った一方側の人と、他方側の人のテーブル板とその下側の有効な空間の条件を同じにするには、図１（ｂ）に示すように、２枚のテーブル板の長手方向一側面を接合させ長手方向に最も広がるように配置した状態のみ可能であった。
【０００８】
この発明は、設置場所や利用者数などの利用形態に応じてテーブル板を回転させて配置状態を変える場合、２枚のテーブル板を幅方向に最も広がるように配置した状態以外でも、テーブルを囲んで向かい合って座った一方側の人と、他方側の人のテーブル板とその下側の有効な空間の条件が同じになるようにしたテーブル装置を提供することにある。
【０００９】
【課題を解決するための手段】
請求項１の発明は、脚体と、所定方向に沿うガイド部を有し、上記脚体によって所定の高さに支持されたガイド体と、このガイド体のガイド部に沿って移動自在に設けられた第１の可動部材および第２の可動部材と、矩形状に形成され中心部から長手方向一端側に所定寸法ずれた箇所が各可動部材にそれぞれ回転自在に取付けられた矩形状の第１のテーブル板および第２のテーブル板と、一端が上記ガイド体の所定方向ほぼ中央部に枢着され他端が上記第１のテーブル板の回転中心から所定寸法ずれた位置に枢着されていて、上記第１のテーブル板を所定の範囲内で回転可能および上記ガイド部に沿って移動可能な状態で上記ガイド体に連結した第１のリンクと、一端が上記ガイド体の所定方向ほぼ中央部で、上記第１のリンクの一端が枢着された個所から上記所定方向に沿って所定寸法離間した位置に枢着され他端が上記第２のテーブル板の回転中心から所定寸法ずれた位置に枢着されていて、上記第２のテーブル板を所定の範囲内で回転可能および上記ガイド部に沿って移動可能な状態で上記ガイド体に連結した第２のリンクとを具備したことを特徴とするテーブル装置において、前記ガイド体の幅方向の中心線上に前記第１の可動部材と第２の可動部材の上面に回転可能に接合された第一の連結板と第２の連結板の回転中心が常に一致するように構成し、前記第１の連結板の中心に第１のテーブル板の中心が、第２の連結板の中心に第２のテーブル板の中心を連結させ、第１のテーブル板、第２のテーブル板の長手方向一側面を接合させた状態と、第１のテーブル板、第２のテーブル板の幅方向一側面を接合させた状態において、このテーブル装置に向かい合って座った一方側の人と、他方側の人のテーブル板とその下側の有効な空間の条件が同じになることを特徴とするテーブル装置にある。
【００１０】
【発明の実施の形態】
以下、本発明の実施の形態を図面に基づいて説明する。
【００１１】
【実施例】
図２に示すこの発明のテーブル装置は脚体１を備えている。この脚体１は所定の間隔で平行に離間した一対の脚体２の高さ方向上端部を第１の連結杆３で連結するとともに、各脚板２の下端には接地部材４が取付けられ、上端には取付け杆５が取付けられてなる。
【００１２】
上記脚体１の一対の取付け杆５にはガイド体６が取付けられている。このガイド体６は、上記取付け杆５の長さ寸法とほぼ同じ間隔で平行に離間した、断面ほぼコ字状で、その内部をガイド部７ａとした一対のガイドレール７を有する。これらガイドレール７は、長手方向両端部の下面がそれぞれ第２の連結杆８によって連結されているとともに、両端部の側面には連結板９が垂設され、これら連結板９が上記取付け杆５の端面にねじ止め固定される。
【００１３】
上記ガイドレール７には第１の可動部材１１と第２の可動部材１２が移動自在に設けられている。各可動部材１１、１２はそれぞれ断面が矩形状をなした角柱状若しくは角筒状の一対の角状部材１３を有し、これら一対の角状部材１３の中途部を連結部材１４で連結してほぼＨ字状に形成されている。
【００１４】
上記第１の可動部材１１と第２の可動部材１２の中心点には後述する、連結軸２０用の連結穴１４ａが形成されている。
【００１５】
そして各一対の角状部材１３は、図３に示すように合成樹脂製のキャップ１４が設けられた両端部をガイドレール７のガイド部７ａ　の断面形状とほぼ同じ形状に形成されている。それによって、各可動部材１１、１２は上記ガイドレール７の長手方向に沿って移動自在となっている。
【００１６】
上記ガイドレール７は断面コ字状であり、角状部材１３の両端部のキャップ１４は、上記ガイドレール７のガイド部７ａ断面形状とほぼ同じ形状であるから、このキャップ１４の下面及び側面はガイド部７ａの内面に面接触した状態でスライド可能に係合する。それによって、可動部材１１、１２は上記ガイド体６のガイドレール７にほとんどがたつくことのない状態でスライド可能に保持することができる。
【００１７】
第１の可動部材１１上面には矩形状の第１のテーブル板１６が回転自在に設けられ、第２の可動部材１２の上面には第１のテーブル板１６と同じ形状の第２テーブル１７が回転自在に設けられている。つまり、各テーブル板１６、１７の下面には、図１及び図４（ａ）〜（ｃ）に示すように、長手方向の中央部から一端側にずれた位置にほぼ同じ正方形状の第１の連結板１８と第２の連結板１９がそれぞれ取付けられている。
【００１８】
各連結板１８、１９はそれぞれ第１の可動部材１１と第２の可動部材１２の上面に回転可能に接合され、各連結板１８、１９の中心点に各可動部材１１、１２の中心部がそれぞれ連結軸２０（図５（ｂ）に示す）により回転自在に連結されている。
【００１９】
上記、各連結板１８、１９の中心点は、図５の（ｂ）に示すようにガイド体６の幅方向１／２の位置の中心線Ｓ上と後述するテーブル板の変換移動中を含め、常に一致している。
【００２０】
なお、各可動部材１１，１２の上面とテーブル板１６，１７の下面との間には、図示しない合成樹脂などの滑動部材が設けられている。それによって、各テーブル板１６，１７を円滑に回転させることができるようになっている。
【００２１】
上記ガイド体６の長手方向中央部の下面には、所定の幅寸法を有する第３の連結杆２５が上記ガイド体６の幅方向に沿って架設されている。この第３の連結杆２５の長手方向両端部には後述する各テーブル板を接合線Ｌよりも−Ｙ方向に移動させないためのストッパー片３３が立設している。この第３の連結杆２５の長手方向中央部には図２に示すように一対の取付孔２６がガイド体６の長手方向に沿って所定の寸法で離間して穿設されている。図５（ａ）、（ｂ）に示すように一対の取付孔２６の一方には第１のリンク２７の一端が支軸２９ａによって枢着され、他方には第１のリンク２７と同じ長さの第２のリンク２８の一端が支軸２９ｂによって枢着されている。
【００２２】
つまり、第１のリンク２７の一端と、第２のリンク２８の一端とは、図５（ｂ）に寸法Ｄで示す距離だけ離間して第３の連結杆２５に枢着されている。
【００２３】
各リンク２７、２８の他端側は上方に向かって屈曲されている。第１のリンク２７の他端には回転ブラケット２７ａがピン３１によって枢着され、第２のリンク２８の他端には回転ブラケット２８ａがピン３２によって枢着されている。
【００２４】
図５（ｂ）に鎖線で示すように、第１のテーブル板１６と第２のテーブル板１７とが一側面を接合させた状態において、これらテーブル板１６，１７の一側面の接合線Ｌは第１のリンク２７の一端と第２のリンク２８の一端との中心、つまり寸法Ｄの中心に位置している。
【００２５】
上記第１のリンク２７と第２のリンク２８とは、第１のテーブル板１６と第２のテーブル板１７とが上記ガイド体６の長手方向に沿って移動する移動量および連結板１８，１９に連結された連結軸２０を支点として回転する回転の軌跡を後述するように決定している。
【００２６】
上記構成のテーブル装置によれば、上記第１のテーブル板１６と第２のテーブル板１７とは、図４（ａ）に示すように長手方向一側面を接合させた第１の状態と、第１の状態から図４（ｂ）に示すように第１のテーブル板１６だけを９０度回転させた第２の状態と、第２の状態から第２のテーブル板１７を９０度回転させた第３の状態とに配置状態を変換することができるようになっている。
【００２７】
つまり、第１、第２のリンク２７，２８は第１、第２のテーブル板１６，１７を第１の状態から所定の範囲で回転させることができるよう、長さ寸法や取付け角度などが設定されている。
【００２８】
第１のテーブル板１６と第２のテーブル板１７とはガイド体６に沿って移動自在に設けられた第１の可動部材１１と第２の可動部材１２とに第１の連結板１８と第２の連結板１９を介してそれぞれ回転自在に連結されている。
【００２９】
図４（ａ）に示す第１の状態から第１のテーブル板１６を回転させて図４（ｂ）に示す第２の状態に変換する場合、図２（ａ）に示すように第１のテーブル板１６を矢印Ｘ方向へ回転させると、この第１のテーブル板１６とともに第１の連結板１８が回転することで、第１のリンク２７が図５に矢印Ａで示す方向に円弧運動する。
【００３０】
それによって、第１のテーブル板１６は、第１のリンク２７の第３の連結杆２５に枢着された一端を中心とした円弧運動に連動して回転することになる。つまり、第１のテーブル板１６は、第１のリンク２７の円弧運動によって回転しながらガイド体６の長手方向に沿う±Ｙ方向に移動することになる。
【００３１】
図５（ｂ）に示すように、第１のリンク２７の一端は、第１のテーブル板１６と第２のテーブル板１７との接合線ＬよりもＤ／２だけ第１のテーブル板１６側に位置している。そのため、図６に示すように第１のテーブル板１６をＸ方向に回転させたときの、この第１のテーブル板１６の角部ＥのＹ方向に沿う移動は、第２のテーブル板１７の側面の内側に入り込むことのない軌跡の円弧運動となる。
【００３２】
つまり、第１のテーブル板１６を回転させるだけで、第１のテーブル板１６の角部Ｅが第２のテーブル板１７の側面を擦ることなくＹ方向に移動しながら円弧運動をするから、第１のテーブル板１６を図４（ａ）に示す第１の状態から図４（ｂ）に示す第２の状態へ変換する操作を、第１のテーブル板１６を回転させるだけの操作で容易に行なうことができる。
【００３３】
図４（ｂ）に示す第２の状態から図４（ｃ）に示す第３の状態に変換する場合、第２のテーブル板１７が第１の状態から第２の状態に変換するときの第１のテーブル板１６と同様、その角部Ｆが第２の状態に変換された第１のテーブル板１６の側面を擦ることなく円弧運動するから、その場合も第２のテーブル板１７を回転させるだけの操作で変換が可能となる。
【００３４】
さらに、テーブル装置を第３の状態から第２の状態、あるいは第２の状態から第１の状態へ変換する場合も、第１、第２のテーブル板１６，１７のどちらか一方を回転させる操作だけで、そのテーブル板の角部が他方のテーブル板の側面を擦ることなく変換することができる。
【００３５】
上記のように、テーブル装置は図４（ａ）〜（ｃ）に示す第１の状態〜第３の状態に変換する。連結板１８と１９の各中心点（連結軸２０の中心点）は、第１のテーブル板１６、１７の中心位置に一致して連結されているので、図４（ａ）のアとアは等距離でまた、（ｃ）のイとイの距離も等距離である。
【００３６】
このことから、図４（ａ）に示すように第１の状態において、向かい合った使用者ウとエはテーブル板とテーブル板下のテーブル装置キに対しテーブルの上面、下面ともに有効な空間が同じ条件になる。また図４（ｃ）に示すように第２の状態においても、向かい合った使用者オとカはテーブルの上面、下面ともに有効な空間が同じ条件になる。
【００３７】
つまり、ガイド体６の幅方向の中心線Ｓ上に各連結板１８、１９の回転中心が常に一致するように構成し、その連結板１８の中心に第１のテーブル板１６の中心が、連結板１９の中心に第２のテーブル板１７の中心が連結することにより、その第１のテーブル板１６、第２のテーブル板１７の長手方向一側面を接合させた第１の状態と、第１のテーブル板１６、第２のテーブル板１７の幅方向一側面を接合させた第３の状態において、このテーブル装置に向かい合って座った一方側の人と、他方側の人のテーブル板とその下側の有効な空間の条件が同じになる効果を得ることができる。
【００３８】
【発明の効果】
請求項１の発明によれば、ガイド体の幅方向の中心線上に前記第１の可動部材と第２の可動部材の上面に回転可能に接合された第一の連結板と第２の連結板の回転中心が常に一致するように構成し、前記第１の連結板の中心に第１のテーブル板の中心が、第２の連結板の中心に第２のテーブル板の中心を連結させ、第１のテーブル板、第２のテーブル板の長手方向一側面を接合させた状態と、第１のテーブル板、第２のテーブル板それぞれ９０度回転させた状態において、このテーブル装置に向かい合って座った一方側の人と、他方側の人のテーブル板とその下側の有効な空間の条件が同じになる。
【００３９】
【図面の簡単な説明】
【図１】先行技術に開示された実施例
【図２】この発明の一実施の形態を示す分解斜視図。
【図３】ガイド部を示す拡大断面図
【図４】（ａ）〜（ｃ）はそれぞれ第１、第２のテーブルの配置状態を変換した使用形態の説明図。
【図５】（ｂ）はガイド体の平面図、（ａ）は図２（ｂ）のＡ−Ａ断面図。
【図６】第１のテーブル板を回転させるときの説明図。
【符号の説明】
１　　脚体
６　　ガイド体
７　　ガイドレール
１１　第１の可動部材
１２　第２の可動部材
１６　第１のテーブル板
１７　第２のテーブル板
１８　第１の連結板
１９　第２の連結板
２７　第１のリンク
２８　第２のリンク
【図１】
2004089304.tif 000003
【図２】
2004089304.tif 000004
【図３】
2004089304.tif 000005
【図４】
2004089304.tif 000006
【図５】
2004089304.tif 000007
【図６】
2004089304.tif 000008